(57)【要約】【課題】キートップを押し込んだときに、キートップが真下に向かってスムーズに移動し、かつ、キートップのガタツキをなくす。【解決手段】キートップ１３が押し込まれるとき、キートップ１３を保持している大リンク部材１５の上端部または下端部が、基板１２上面と平行な水平方向へスライドできるように構成し、キートップ１３が真下に移動できるようにした。また、キートップ１３に設けたリブで、大リンク部材１５の左右両側を挟んで押さえ、大リンク部材１５に対するキートップ１３の左右方向のガタツキを無くすように構成した。【選択図】  図３
2006338961.tif 000002
【特許請求の範囲】
【請求項１】
基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、
前記大リンク部材の上端部を、前記キートップ裏面に設けた軸支部に回動自在に軸支し、前記大リンク部材の下端部を、前記キートップが昇降操作された時に該下端部を前記基板上面と平行な水平方向にスライド案内するスライドガイド部に摺動自在に装着して設けたことを特徴とするキースイッチ装置。
【請求項２】
上記キートップ裏面に設けた上記軸支部の周面に、上記大リンク部材の一部を前記軸支部内に圧入係合させるためのすり割を設けたことを特徴とする請求項１記載のキースイッチ装置。
【請求項３】
基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、
前記大リンク部材の上端部を、前記キートップが昇降操作された時に該上端部を前記基板上面と平行な水平方向にスライド案内するスライドガイド部に摺動自在に装着して設け、かつ、前記大リンク部材の下端部を、前記基板に設けた軸支部に回動自在に軸支して設けたことを特徴とするキースイッチ装置。
【請求項４】
上記基板に設けた上記軸支部の周面に、上記大リンク部材の一部を前記軸支部内に圧入係合させるためのすり割を設けたことを特徴とする請求項３記載のキースイッチ装置。
【請求項５】
基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、
前記大リンク部材の上端部を、前記キートップ裏面に設けた軸支部に回動自在に軸支し、かつ前記大リンク部材の下端部を、前記キートップが昇降操作された時に該下端部を前記基板上面と平行な水平方向にスライド案内するスライドガイド部に摺動自在に装着して設けるとともに、前記キートップ裏面の左右両側に、前記大リンク部材を左右両側より挟んで、該大リンク部材の左右方向のガタツキを抑えるリブを一体的に設けていることを特徴とするキースイッチ装置。
【請求項６】
基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、
前記大リンク部材の上端部を、前記キートップが昇降操作された時に該上端部を前記基板上面と平行な水平方向にスライド案内するスライドガイド部に摺動自在に装着して設け、かつ、前記大リンク部材の下端部を、前記基板に設けた軸支部に回動自在に軸支して設けているとともに、前記キートップの左右両側に、前記大リンク部材を左右方向より挟んで、該大リンク部材の左右方向のガタツキを抑えるリブを一体的に設けていることを特徴とするキースイッチ装置。
【発明の詳細な説明】
【技術分野】
【０００１】
この発明はキースイッチ装置に関するものであり、特に、ノートブック型パソコンの薄型キーボード等に好適に用いられるリンク式のキースイッチ装置に関するものである。
【背景技術】
【０００２】
従来、リンク式のキースイッチは、例えば特許文献１等で知られている。この特許文献１で知られるキースイッチ装置は、概略、図６に示すような構造になっている。図６に示すキースイッチ装置は、基板１とキートップ２との間にラバースプリング３を装着し、該キートップ２を昇降自在に形成している。さらに、基板１とキートップ２との間には、相互に接触することがないように、直交して回動する小リンク部材４と大リンク部材５とが設けられている。小リンク部材４は合成樹脂にて形成され、かつ、大リンク部材５は針金をコ字状に折曲して形成している。
【０００３】
また、小リンク部材４は、下端部を基板１の上面に設けたスライドガイド(不図示)に摺動自在に装着すると共に、小リンク部材４の上端部に突設した軸支部７をキートップ２の裏面に設けたすり割付軸支部８に軸支している。さらに、大リンク部材５の上端部及び下端部は、基板１の上面及びキートップ２の裏面に形成したすり割付軸支部９及び１０にそれぞれ軸支されている。
【０００４】
そして、該キートップ２は、小リンク部材４及び大リンク部材５並びにラバースプリング３で保持されることにより、安定した上下方向のストロークを可能にしている。
【特許文献１】特開２００１−２８３６７５
【発明の開示】
【発明が解決しようとする課題】
【０００５】
しかしながら、従来例のキースイッチ装置におけるＺリンク機構は、大リンク部材５の上下の端部が、基板１及びキートップ２のすり割付軸支部８に回動可能に連結保持されており、大リンク部材５は基板１の軸支部１０との軸支部分を中心に回転運動するため、キートップを押し込んだとき、真下には移動せず、寸法Ｄだけ若干水平方向に移動する構造になっている。したがって、寸法Ｄの分だけキートップ間隔を確保した設計としなければならず、無駄が生じていた。
【０００６】
また、大リンク部材５とキートップ２との間には隙間があり、この隙間がキートップのガタツキを発生させている不具合があった。
【０００７】
そこで、キートップを押し込んだときに、キートップが真下に向かってスムーズに移動し、かつ、キートップのガタツキを無くした構造にするために解決すべき技術的課題が生じてくるのであり、本発明は該課題を解決することを目的とする。
【課題を解決するための手段】
【０００８】
本発明は上記目的を達成するために提案されたものであり、請求項１記載の発明は、  基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、前記大リンク部材の上端部を、前記キートップ裏面に設けた軸支部に回動自在に軸支し、前記大リンク部材の下端部を、前記キートップが昇降操作された時に該下端部を前記基板上面と平行な水平方向にスライド案内するスライドガイド部に摺動自在に装着して設けたキースイッチ装
置を提供するものである。
【０００９】
この構成によれば、大リンク部材の上端部が、キートップ裏面に設けた軸支部に回動自在に軸支され、かつ、大リンク部材の下端部が、該下端部を基板上面と平行な水平方向にスライド案内するスライドガイド部に摺動自在に装着されていることにより、キートップが押し込まれると、大リンク部材は、その上端部がキートップとの間で上下方向に回転すると同時に、下端部がスライドガイド部内で水平方向にスライド変位し、押し込まれたキートップは、真下に移動することができる。
【００１０】
請求項２記載の発明は、上記キートップ裏面に設けた上記軸支部の周面に、上記大リンク部材の一部を前記軸支部内に圧入係合させるためのすり割を設けたキースイッチ装置を提供するものである。
【００１１】
この構成によれば、大リンク部材の一部をすり割り部分に強く押し付けると、その一部が軸支部内に圧入されて、大リンク部材と軸支部との連結が簡単になる。
【００１２】
請求項３記載の発明は、基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、前記大リンク部材の上端部を、前記キートップが昇降操作された時に該上端部を前記基板上面と平行な水平方向にスライド案内するスライドガイド部に摺動自在に装着して設け、かつ、前記大リンク部材の下端部を、前記基板に設けた軸支部に回動自在に軸支して設けたキースイッチ装置を提供するものである。
【００１３】
この構成によれば、大リンク部材の上端部が、該上端部を前記基板上面と平行な水平方向にスライド案内するスライドガイド部に摺動自在に装着され、かつ、大リンク部材の下端部が、基板に設けた軸支部に回動自在に軸支されていることにより、キートップが押し込まれると、大リンク部材は、その下端部が基板との間で上下方向に回転すると同時に、上端部がスライドガイド部内で水平方向にスライド変位し、キートップが真下に移動できるようになる。
【００１４】
請求４記載の発明は、上記基板に設けた上記軸支部の周面に、上記大リンク部材の一部を前記軸支部内に圧入係合させるためのすり割を設けたキースイッチ装置を提供するものである。
【００１５】
この構成によれば、大リンク部材の一部をすり割り部分に強く押し付けると、その一部が軸支部内に圧入されて、大リンク部材と軸支部との連結が簡単に図れる。
【００１６】
請求項５記載の発明は、基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、前記大リンク部材の上端部を、前記キートップ裏面に設けた軸支部に回動自在に軸支し、かつ前記大リンク部材の下端部を、前記キートップが昇降操作された時に該下端部を前記基板上面と平行な水平方向にスライド案内するスライドガイド部に摺動自在に装着して設けるとともに、前記キートップ裏面の左右両側に、前記大リンク部材を左右両側より挟んで、該大リンク部材の左右方向のガタツキを抑えるリブを一体的に設けているキースイッチ装置を提供するものである。
【００１７】
この構成によれば、大リンク部材の上端部が、キートップ裏面に設けた軸支部に回動自在に軸支され、かつ、大リンク部材の下端部が、該下端部を前記基上面と平行な水平方向
にスライド案内するスライドガイド部に摺動自在に装着されていることにより、キートップが押し込まれると、大リンク部材は、その上端部がキートップとの間で上下方向に回転すると同時に、下端部がスライドガイド部内で水平方向にスライド変位し、押し込まれたキートップは、真下に移動する。また、キートップ裏面の左右両側に、大リンク部材を左右両側より挟んで、該大リンク部材の左右方向のガタツキを抑えるリブが一体的に設けられているので、リブにより、大リンク部材に対するキートップの左右方向へのガタツキをなくす。
【００１８】
請求項６記載の発明は、基板とキートップとの間に相互接触することなく直交して回動する小リンク部材と大リンク部材を有する昇降機構を設け、該昇降機構により前記キートップを昇降自在に保持し、該キートップを押下してスイッチ操作を行うキースイッチ装置において、前記大リンク部材の上端部を、前記キートップが昇降操作された時に該上端部を前記基板上面と平行な水平方向にスライド案内するスライドガイド部に摺動自在に装着して設け、かつ、前記大リンク部材の下端部を、前記基板に設けた軸支部に回動自在に軸支して設けているとともに、前記キートップの左右両側に、前記大リンク部材を左右方向より挟んで、該大リンク部材の左右方向のガタツキを抑えるリブを一体的に設けているキースイッチ装置を提供する。
【００１９】
この構成によれば、大リンク部材の上端部が、基板上面と平行な水平方向にスライド案内するスライドガイド部に摺動自在に装着され、かつ、大リンク部材の下端部が、基板に設けた軸支部に回動自在に軸支して設けているので、キートップが押し込まれると、大リンク部材は、その下端部が基板との間で上下方向に回転すると同時に、上端部がスライドガイド部内で水平方向にスライド変位し、キートップが真下に下降して移動する。また、キートップの左右両側に、大リンク部材を左右方向より挟んで、該大リンク部材の左右方向のガタツキを抑えるリブを一体的に設けているので、リブにより、大リンク部材の左右幅方向への動きが抑制される。
【発明の効果】
【００２０】
請求項１記載の発明は、押し込まれたキートップを真下に移動させることができるので、隣り合うキートップ間の隙間を狭めて密度を高めることが可能になる。これにより、キーボード全体の小形化を図ることができる。また、同じキーボードのスペース内であっても、従来の隙間分だけキートップ自体の平面面積を大きくすることも可能で、キートップ自体の平面面積を大きくして、オペレータによる操作性を向上させることもできる。
【００２１】
請求項２記載の発明は、大リンク部材とキートップにおける軸支部との連結が簡単に図れるので、組立の作業性が向上する。
【００２２】
請求項３記載の発明は、押し込まれたキートップを真下に移動させることができるので、隣り合うキートップ間の隙間を狭めることができる。これにより、キーボード全体の小形化を図ることができる。また、所定サイズのキーボードのスペース内であっても、従来構造に比べて、前記の隙間分だけキートップ自体の平面面積が大きくなり、オペレータによる操作性が向上する。
【００２３】
請求項４記載の発明は、大リンク部材と基板における軸支部との連結が簡単に図れるので、組立の作業性が向上する。
【００２４】
請求項５に記載の発明は、押し込まれたキートップを真下に移動させることができるので、隣り合うキートップ間の隙間を狭めて密度を高めることが可能になる。これにより、キーボード全体の小形化を図ることができる。また、同じキーボードのスペース内であっても、従来の隙間分だけキートップ自体の平面スペースを広くできる。従って、キートッ
プ自体の平面面積を大きくして、オペレータによる操作性を向上させることもでき、キートップの左右方向のガタツキを確実に防止できるだけでなく、キートップの押し込み操作を一層スムーズに実行できるとともに、高級感も得られる。
【００２５】
請求項６記載の発明は、請求項５記載の発明と同様に、押し込まれたキートップを真下に移動でき、隣り合うキートップ間の隙間が狭められるので、キーボード全体の小形化を図ることができる。また、キートップ自体の平面面積を大きくでき、キー操作安定性が向上し、キートップの押し込み操作感が高まる。
【発明を実施するための最良の形態】
【００２６】
以下、本発明に係るキースイッチ装置について、好適な実施例をあげて説明する。本発明の最良の形態は、大リンク部材の一端部は、キートップ裏面側の軸支部又は基板側のスライドガイド部に装着され、かつ、大リンク部材の他端部は、基板側のスライドガイド部又はキートップ裏面側の軸支部に装着され、キートップ裏面の左右両側には、大リンク部材を左右方向より挟んで該大リンク部材の左右幅方向のガタツキを抑えるリブ（位置規制部材）を一体的に設けたことを要旨とする。
【００２７】
即ち、キートップが真下に向かってスムーズに移動し、かつ、キートップのガタツキを無くした構造にするという目的を達成するために、本発明は、キートップが押し込まれるとき、大リンク部材の上端部または下端部が、基板上面と平行な状態を維持しながら、水平方向にスライドするようにすることにより、キートップが真下に移動できるようにした。また、キートップ裏面に設けたリブによって、大リンク部材の左右両側を挟んで押さえ、大リンク部材に対するキートップの左右幅方向の変位動を規制することを特徴とする。
【実施例】
【００２８】
図１（ａ）及び（ｂ）は本発明に係るキースイッチ装置の一実施の形態を示すものである。図（ａ）及び（ｂ）において、１１は概念図で示したキースイッチ装置であり、該キースイッチ装置１１は基板１２と、該基板１２の上方に設けられたキートップ１３とを備える。基板１２とキートップ１３との間には小リンク部材１４と大リンク部材１５とが装着され、小リンク部材１４と大リンク部材１５は、互いに接触することなく、直交して回動するように構成されている。
【００２９】
そして、該小リンク部材１４の下端部の幅方向Ｘ両側部には摺動部１４ａ及び１４ｂが設けられ、摺動部１４ａ及び１４ｂは、基板１２に配設されたスライドガイド１２ａ及び１２ｂにそれぞれ摺動自在に係合されている。さらに、小リンク部材１４の上端部の幅方向Ｘ両側部には、軸支部１４ｃ及び１４ｄが突設され、軸支部１４ｃ及び１４ｄは、前記キートップ１３の裏面に配設されたすり割付軸支部１３ａ及び１３ｂに、それぞれ回動可能に軸着されている。
【００３０】
なお、スライドガイド１２ａ及び１２ｂは、キートップ１３が昇降操作された時に、小リンク部材１４の下端部、すなわち摺動部１４ａ及び１４ｂを、基板１２の上面及びキートップ１３の下面に沿って水平方向にスライド案内する。また、すり割付軸支部１３ａ及び１３ｂの周面に設けているすり割りは、小リンク部材１４の軸支部１４ｃ及び１４ｄを、上方から周面のすり割りに対して強く押し付けたときに、そのすり割り部分が一時的に外側に逃げて拡がり、軸支部１４ｃ及び１４ｄがすり割り付軸支部１３ａ及び１３ｂ内に係合されるのを許容する。この取付構造では、小リンク部材１４と基板１２におけるすり割付軸支部１３ａ及び１３ｂとの連結を簡単に実行でき、組立作業性の向上に大いに寄与する。
【００３１】
一方、前記大リンク部材１５の下端部の幅方向Ｙ両側部には、回動部１５ａ及び１５ｂ
が設けられ、回動部１５ａ及び１５ｂは、基板１２に配設されたすり割付軸支部１２ｃ及び１２ｄに、それぞれ回転可能に軸着されている。更に、大リンク部材１５の上端部の幅方向Ｙ両側部には摺動部１５ｃ及び１５ｄが設けられ、摺動部１５ｃ及び１５ｄは、キートップ１３の裏面に配設されたスライドガイド１３ｃ及び１３ｄに、それぞれ摺動自在に装着されている。
【００３２】
なお、スライドガイド１３ｃ及び１３ｄは、キートップが昇降操作された時に、大リンク部材１５の上端部、すなわち摺動部１５ｃ及び１５ｄを基板１２上面と平行な水平方向にスライド案内する。また、すり割付軸支部１２ｃ及び１２ｄの周面に設けているすり割りは、大リンク部材１５の回動部１５ａ及び１５ｂを、上方から周面のすり割りに対して強く押し付けると、そのすり割り部分が一時的に外側に逃げて拡がり、回動部１５ａ及び１５ｂがすり割付軸支部１２ｃ及び１２ｄ内に係合されるのを許容する。この取付構造では、大リンク部材１５と基板１２におけるすり割付軸支部１２ｃ及び１２ｄとの連結を簡単に実行でき、組立作業性の向上に大いに寄与する。
【００３３】
図２は、前記キースイッチ装置１１のキートップ１３を透視した状態で、キースイッチ装置１１の内部構造を示す平面図である。図示のように、該キースイッチ装置１１の中央部には、略ドーム状のラバースプリング１６が介装され、該ラバースプリング１６は基板１２上に載設されている。また、キートップ１３裏面において、該キートップ１３の左右幅方向Ｙの外周縁部両側にはリブ１７，１７が、該キートップ１３の内側に向かって突出するように、キートップ１３と一体に設けられている。このリブ１７，１７は、キートップ１３と連結された大リンク部材１５の左右両側に常に当接されて、該大リンク部材１５を左右方向より挟んだ状態にあり、キートップ１３の大リンク部材１５に対する左右方向のガタツキを確実に抑える。
【００３４】
図３はキースイッチ装置１１の一部切欠側面図、図４はキースイッチ装置１１の一部切欠正面図である。図３及び図４において、実線ではキートップ１３が押下される前の状態を示しており、前記ラバースプリング１６がキートップ１３を上方に付勢し、それに伴って、前記小リンク部材１４及び大リンク部材１５も前記基板１２に対して所定角度をなして、立ち上がった状態となっている。
【００３５】
いま、この状態でオペレータが前記キートップ１３を押下操作すると、該キートップ１３は前記ラバースプリング１６を押圧して変形させると共に、前記小リンク部材１４及び大リンク部材１５の上端側を下方に押し下げる。このとき、該小リンク部材１４下端側の摺動部１４ａ及び１４ｂは、前記基板１２側のスライドガイド１２ａ及び１２ｂ内を基板１２上面に沿って摺動する。同時に、小リンク部材１４上端側の軸支部１４ｃ及び１４ｄは、キートップ１３裏面側のすり割付軸支部１３ａ及び１３ｂ内で回転する。
【００３６】
一方、前記大リンク部材１５下端側の回動部１５ａ及び１５ｂは、前記基板１２上に設けられたすり割付軸支部１２ｃ及び１２ｄ内で回転する。同時に、大リンク部材１５上端側の回動部１５ｃ及び１５ｄは、前記キートップ１３側のスライドガイド１３ｃ及び１３ｄ内を基板１２上面と平行に水平方向へ摺動する。図３及び図４において、二点鎖線は、キートップ１３が押下された状態を示している。
【００３７】
従って、前記キートップ１３は、小リンク部材１４と大リンク部材１５のリンク作用により、基板１２に対して略平行な状態を維持しながら、真下に向かって押し下げられる。そして、キートップ１３が所定位置まで下降変位することにより、前記ラバースプリング１６は、基板１２上に設けたスイッチ部材１８を押圧して電気的に導通する。
【００３８】
この後、前記キートップ１３が更に最下点まで押し下げられると、キートップ１３の下
面が基板１２に当接して、該キートップ１３の押し下げ動作は停止する。
【００３９】
以上のように、この実施例の構成によれば、キートップ１３が押し込まれると、大リンク部材１５は、その下端部となる回動部１５ａ及び１５ｂがキートップ１３との間で上下方向に回動すると同時に、上端部となる摺動部１５ｃ及び１５ｄが、スライドガイド１３ｃ及び１３ｄ内で水平方向にスライド変位し、キートップ１３が真下に移動する。
【００４０】
かくして、キートップ１３が真下に移動することにより、隣り合うキートップ間の隙間を狭めて、多数のキーの配置密度を高めることが可能になり、キーボード全体の小形化を図ることができる。また、一定の寸法形状を有するキーボードのスペース内であっても、従来の隙間分だけキートップ自体の平面面積を大きくすることも可能となるので、総じて、キートップの平面面積を大きくして、オペレータの操作性を向上させることもできる。さらに、キートップ１３の左右両側に設けているリブ１７，１７により、大リンク部材１５を左右方向より挟んで抑えるので、従来構造とは異なり、キートップ１３が大リンク部材１５に対して左右方向にガタ付くことのない、操作フィーリングの良い高級なキースイッチ装置が容易に得られる。
【００４１】
なお、上記実施例の構造では、大リンク部材１５の下端部に回動部１５ａ及び１５ｂ、基板１２にすり割付軸支部１２ｃ及び１２ｄを設けるとともに、大リンク部材１５の上端部に摺動部１５ｃ及び１５ｄ、キートップ１３にスライドガイド１３ｃ及び１３ｄを設けた構造を開示したが、この構造に限られるものではない。例えば、図５に示すように、大リンク部材１５の上端部に回動部２５ａ及び２５ｂを形成すると共に、キートップ１３にすり割付軸支部２２ｃ及び２２ｄを設け、かつ、大リンク部材１５の下端部に摺動部２５ｃ及び２５ｄを形成すると共に、基板１２にスライドガイド２３ｃ及び２３ｄを設けた構造にしても、上記と同様な効果が得られる。
【００４２】
この発明は、この発明の精神を逸脱しない限り種々の改変を為すことができ、そして、この発明が該改変せられたものに及ぶことは当然である。
【図面の簡単な説明】
【００４３】
【図１】（ａ）本発明の一実施の形態を示し、キースイッチ装置の概念を示す正面図。
【００４４】
（ｂ）本発明の一実施の形態を示し、小リンク部材と大リンク部材の概念を示す斜視図。
【図２】本発明の一実施の形態を示し、キートップを透視した状態で、キースイッチ装置の内部構造を示す平面図。
【図３】本発明の一実施の形態を示し、キースイッチ装置の一部切欠側面図。
【図４】本発明の一実施の形態を示し、キースイッチ装置の一部切欠正面図。
【図５】本発明の一実施の形態の変形例を示し、キースイッチ装置の一部切欠側面図。
【図６】従来のキースイッチにおける構造の問題を説明する図。
【符号の説明】
【００４５】
１１    スイッチ装置
１２    基板
１２ａ  スライドガイド
１２ｂ  スライドガイド
１２ｃ  すり割付軸支部
１２ｄ  すり割付軸支部
１３    キートップ
１３ａ  すり割付軸支部
１３ｂ  すり割付軸支部
１３ｃ  スライドガイド
１３ｄ  スライドガイド
１４    小リンク部材
１４ａ  摺動部
１４ｂ  摺動部
１４ｃ  軸支部
１４ｄ  軸支部
１５    大リンク部材
１５ａ  回動部
１５ｂ  回動部
１５ｃ  摺動部
１５ｄ  摺動部
１６    ラバースプリング
１７    リブ
１８    スイッチ部材
【図１】
2006338961.tif 000003
【図２】
2006338961.tif 000004
【図３】
2006338961.tif 000005
【図４】
2006338961.tif 000006
【図５】
2006338961.tif 000007
【図６】
2006338961.tif 000008